(57)【要約】【課題】建物の特定階において通風性を向上させることができるとともに、採光性を向上させることができ、快適な居住環境を形成することが可能な建物の間仕切り構造を提供することを目的とする。【解決手段】間仕切壁１によって建物Ａの特定階１０の内部を複数のスペースに区画する建物Ａの間仕切り構造において、前記間仕切壁１によって前記特定階１０は、吹抜け部２０ａを備えた第１スペース２０と、この第１スペース２０に隣接し、かつ中間床３０ａを境にして上層部３１と下層部３２とを備えた第２スペース３０とに区画されており、前記第１スペース２０と前記上層部３１とを区画する前記間仕切壁１には、複数の孔またはスリットを備えて通風性を有する通風壁部２と、透光性を有する面材３ａを有する透光壁部３とが設けられていることを上記課題の解決手段とする。【選択図】図３
2007162391.tif 000002
【特許請求の範囲】
【請求項１】
間仕切壁によって建物の特定階の内部を複数のスペースに区画する建物の間仕切り構造において、
前記間仕切壁によって前記特定階は、吹抜け部を備えた第１スペースと、この第１スペースに隣接し、かつ中間床を境にして上層部と下層部とを備えた第２スペースとに区画されており、
前記第１スペースと前記上層部とを区画する前記間仕切壁には、複数の孔またはスリットを備えて通風性を有する通風壁部と、透光性を有する面材を有する透光壁部とが設けられていることを特徴とする建物の間仕切り構造。
【請求項２】
請求項１に記載の建物の間仕切り構造において、
前記第１スペースには、建物の外部へ通じる開口部が前記間仕切壁と対向する壁に設けられていることを特徴とする建物の間仕切り構造。
【請求項３】
請求項１または２に記載の建物の間仕切り構造において、
前記上層部には、建物の外部へ通じる開口部が前記間仕切壁と対向する壁に設けられていることを特徴とする建物の間仕切り構造。
【請求項４】
請求項１〜３のいずれか一項に記載の建物の間仕切り構造において、
前記上層部に、前記間仕切壁に隣接配置される収納部と、この収納部から前記間仕切壁に沿ってスライドして前記通風壁部および透光壁部を蔽遮する引戸とが設けられていることを特徴とする建物の間仕切り構造。
【請求項５】
請求項１〜４のいずれか一項に記載の建物の間仕切り構造において、
前記第１スペースと前記下層部とを区画する前記間仕切壁には、前記第１スペースと下層部とを行き来するための出入り口が設けられており、
前記下層部には、建物の外部へ通じる開口部が前記間仕切壁に設けられた出入り口と対向する壁に設けられていることを特徴とする建物の間仕切り構造。
【発明の詳細な説明】
【技術分野】
【０００１】
本発明は、間仕切壁によって建物の特定階の内部を複数のスペースに区画する建物の間仕切り構造に関する。
【背景技術】
【０００２】
近年、空調機器の発達に伴い、空調機器を利用して冷暖房を行うようになっている。そのため、住宅等の建物においては、空調効果を高めるために、屋内外の空気の出入りを遮断し、室内の熱が屋外に漏れないようにし、建物の内部の空調におけるエネルギー損失を少なくするために、室内の気密性および断熱性を高くした高気密・高断熱建物が利用されている。
【０００３】
そして、このような高気密・高断熱建物は、屋内外の空気の出入りを遮断しているために換気を十分に行う必要があった。そこで、高気密・高断熱建物の換気を行うために、建物内の部屋等、仕切られた複数の空間をまとめて換気するセントラル換気装置が利用されている（例えば、特許文献１参照）。
【特許文献１】特開平１１−３４４２５３号公報
【発明の開示】
【発明が解決しようとする課題】
【０００４】
ところが、このような換気装置を用いると換気装置の設置にコストがかかる上、多くのエネルギーを消費するという問題があった。このため、特に、春や秋等の気候がよい季節においては上記のような換気装置を用いずに、各部屋の窓やドアを開けて建物内に外気を導入し、建物内部の空気と入れ換える等して自然換気を行うようにしている。
【０００５】
しかしながら、このように各部屋の窓やドアを開けただけでは、各部屋の天井部付近や空気が通過しない箇所に暖かい空気が溜まってしまい、効率よく換気を行うことが困難な場合があった。そこで、部屋の隅々まで外気が行き渡るようにするために建物内の通風性を向上させることが可能な技術の開発が望まれていた。
【０００６】
また、一般に住宅等の建物では、その居住空間内により多く採光し、これによって建物内を明るくしたいとの要望がある。
ところが、例えば、狭小敷地に建てられた建物内の部屋や、間口に対して奥行きが広い部屋等は、効果的に光を採り入れることが困難な場合があったため、採光性を向上させることが可能な技術の開発が望まれていた。
【０００７】
本発明の課題は、建物の特定階において通風性を向上させることができるとともに、採光性を向上させることができ、快適な居住環境を形成することが可能な建物の間仕切り構造を提供することを目的とする。
【課題を解決するための手段】
【０００８】
請求項１に記載の発明は、例えば図１〜図３に示すように、間仕切壁１によって建物Ａの特定階１０の内部を複数のスペースに区画する建物Ａの間仕切り構造において、
前記間仕切壁１によって前記特定階１０は、吹抜け部２０ａを備えた第１スペース２０と、この第１スペース２０に隣接し、かつ中間床３０ａを境にして上層部３１と下層部３２とを備えた第２スペース３０とに区画されており、
前記第１スペース２０と前記上層部３１とを区画する前記間仕切壁１には、複数の孔またはスリットを備えて通風性を有する通風壁部２と、透光性を有する面材３ａを有する透光壁部３とが設けられていることを特徴とする。
【０００９】
請求項１に記載の発明によれば、前記第１スペース２０と前記上層部３１とを区画する前記間仕切壁１に、複数の孔またはスリットを備えて通風性を有する通風壁部２が設けられているので、前記第１スペース２０内の空気と前記上層部３１内の空気とを、前記通風壁部２の複数の孔またはスリットを通じて流通させることができ、換気効率の向上を図ることができる。
また、前記間仕切壁１に、透光性を有する面材３ａを有する透光壁部３が設けられているので、前記透光壁部３を通じて、前記第１スペース２０からの光を前記上層部３１に採り入れるだけでなく、前記上層部３１からの光も前記第１スペース２０に採り入れることができる。
したがって、前記建物Ａの特定階１０において通風性を向上させることができるとともに、採光性を向上させることができ、快適な居住環境を形成することが可能となる。
【００１０】
請求項２に記載の発明は、例えば図１および図２に示すように、請求項１に記載の建物Ａの間仕切り構造において、
前記第１スペース２０には、建物Ａの外部へ通じる開口部２２が前記間仕切壁１と対向する壁２１に設けられていることを特徴とする。
【００１１】
請求項２に記載の発明によれば、前記第１スペース２０に、建物Ａの外部へ通じる開口部２２が前記間仕切壁１と対向する壁２１に設けられていることから、前記開口部２２から流入する外気を、前記通風壁部２を通じて前記上層部３１に流入させることができるので、通風性を向上させることができる。
また、前記開口部２２から射し込む光を、前記透光壁部３を通じて前記上層部３１に採り入れることができるので、採光性を向上させることができる。
【００１２】
請求項３に記載の発明は、例えば図１および図２に示すように、請求項１または２に記載の建物Ａの間仕切り構造において、
前記上層部３１には、建物Ａの外部へ通じる開口部３４が前記間仕切壁１と対向する壁３３に設けられていることを特徴とする。
【００１３】
請求項３に記載の発明によれば、前記上層部３１に、建物Ａの外部へ通じる開口部３４が前記間仕切壁１と対向する壁３３に設けられていることから、前記開口部３４から流入する外気を、前記通風壁部２を通じて前記第１スペース２０に流入させることができるので、通風性を向上させることができる。
また、前記開口部３４から射し込む光を、前記透光壁部３を通じて前記第１スペース２０に採り入れることができるので、採光性を向上させることができる。
【００１４】
請求項４に記載の発明は、例えば図２に示すように、請求項１〜３のいずれか一項に記載の建物Ａの間仕切り構造において、
前記上層部３１に、前記間仕切壁１に隣接配置される収納部３５と、この収納部３５から前記間仕切壁１に沿ってスライドして前記通風壁部２および透光壁部３を蔽遮する引戸３６とが設けられていることを特徴とする。
【００１５】
請求項４に記載の発明によれば、前記引戸３６を前記間仕切壁１に沿ってスライドして前記通風壁部２を蔽遮することによって、前記第１スペース２０と上層部３１との空気の流通を遮ることができるので、前記第１スペース２０および上層部３１に設けられる各部屋の暖かい空気を逃がさないようにすることができる。また、前記引戸３６を前記収納部３５に収納しておくことによって、前記第１スペース２０の空気と上層部３１の空気とを流通させることができるので、通風性を向上させることができる。これによって、通風量の調整を適宜行うことができるので、季節に応じて、より快適な居住環境を形成することが可能となる。
【００１６】
一方、前記引戸３６を前記間仕切りに沿ってスライドして前記透光壁部３を蔽遮することによって、採光量の調整を適宜行うことができるので、より快適な居住環境を形成することが可能となる。
また、前記引戸３６によって前記通風壁部２および透光壁部３を蔽遮することができるので、隣接する前記第１スペース２０および上層部３１どうしの視線を遮ってプライバシーを確保することが可能となる。
【００１７】
請求項５に記載の発明は、例えば図１および図３に示すように、請求項１〜４のいずれか一項に記載の建物Ａの間仕切り構造において、
前記第１スペース２０と前記下層部３２とを区画する前記間仕切壁１には、前記第１スペース２０と下層部３２とを行き来するための出入り口４が設けられており、
前記下層部３２には、建物Ａの外部へ通じる開口部３８が前記間仕切壁１に設けられた出入り口４と対向する壁３７に設けられていることを特徴とする。
【００１８】
請求項５に記載の発明によれば、前記第１スペース２０と前記下層部３２とを区画する前記間仕切壁１に前記第１スペース２０と下層部３２とを行き来するための出入り口４が設けられているので、この出入り口４を通じて前記第１スペース２０内の空気と前記下層部３２内の空気とを容易に流通させることができる。また、前記下層部３２に、建物Ａの外部へ通じる開口部３８が前記出入り口４と対向する壁３７に設けられているので、前記開口部３８から流入する外気を、前記出入り口４を通じて前記第１スペース２０に流入させることが可能となり、換気効率の向上を図ることができる。
これによって、通風性を向上させることができ、より一層快適な居住環境を形成することが可能となる。
【発明の効果】
【００１９】
本発明によれば、建物の特定階において第１スペースと第２スペースの上層部とを区画する間仕切壁に、複数の孔またはスリットを備えて通風性を有する通風壁部が設けられているので、前記第１スペース内の空気と前記上層部内の空気とを、前記通風壁部の複数の孔またはスリットを通じて流通させることができ、換気効率の向上を図ることができる。
また、前記間仕切壁に、透光性を有する面材を有する透光壁部が設けられているので、前記透光壁部を通じて、前記第１スペースからの光を前記上層部に採り入れるだけでなく、前記上層部からの光も前記第１スペースに採り入れることができる。
したがって、前記建物の特定階において通風性を向上させることができるとともに、採光性を向上させることができ、快適な居住環境を形成することが可能となる。
【発明を実施するための最良の形態】
【００２０】
以下、図面を参照して本発明に係る建物Ａの間仕切り構造の実施の形態について説明する。なお、本実施の形態の建物Ａは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２１】
本実施の形態の建物Ａの間仕切り構造は、図１〜図３に示すように、間仕切壁１によって建物Ａの特定階１０の内部を複数のスペースに区画するものであり、
前記間仕切壁１によって前記特定階１０は、吹抜け部２０ａを備えた第１スペース２０と、この第１スペース２０に隣接し、かつ中間床３０ａを境にして上層部３１と下層部３２とを備えた第２スペース３０とに区画されており、
前記第１スペース２０と前記上層部３１とを区画する前記間仕切壁１には、複数の孔またはスリットを備えて通風性を有する通風壁部２と、透光性を有する面材３ａを有する透光壁部３とが設けられている。
【００２２】
ここで、前記間仕切壁１は、図３に示すように、前記特定階１０の天井面１０ａと床面１０ｂと複数の壁面１０ｃ、１０ｄとによって形成される範囲内に設置されるものであり、この間仕切壁１において前記第１スペース２０と前記上層部３１とを区画する位置には、上述したように前記通風壁部２および透光壁部３が設けられている。
【００２３】
また、前記通風壁部２は、床面１０ｂから天井面１０ａに達する高さの複数の縦桟材２ａを所定の間隔をあけて並設することによって格子状に形成されており、前記複数の縦桟材２ａどうし間にスリットが形成された状態となっている。
なお、本実施の形態の通風壁部２は、スリットを備えた構成となっているが、これに限られるものではなく、上述したように複数の孔（図示せず）を備えたものでも良い。例えば、前記複数の縦桟材２ａとともに複数の横桟材を取り付けることによって、複数の孔を備えた通風壁部２を設けることが可能となる。すなわち、本発明の趣旨を逸脱しない範囲で適宜変更可能であることは言うまでもない。
さらに、前記通風壁部２の下部は、この通風壁部２のように通風性を備えてはいないが、前記通風壁部２を構成する前記複数の縦桟材２ａが表面に設けられた格子壁５となっている。
【００２４】
また、前記透光壁部３は、前記透光性を有する面材３ａとしてガラス板材が用いられるが、できる限り破損しないように、例えば強化ガラス等、強度の高い透光性面材を用いることが望ましい。そして、このような透光性を有する面材３ａは、前記通風壁部２に隣接して設けられている。
【００２５】
一方、前記間仕切壁１において前記第１スペース２０と前記下層部３２とを区画する位置には、前記第１スペース２０と下層部３２とを行き来するための出入り口４が設けられており、前記透光壁部３の下部に位置した状態となっている。
【００２６】
さらに、前記透光壁部３および前記出入り口４に隣接する位置には、前記特定階１０の壁面１０ｃから突出する袖壁部６が設けられている。また、前記透光壁部３と前記出入り口４との間には、前記中間床３０ａの側面に位置する中間壁部７が設けられている。
【００２７】
次に、前記特定階１０の内部構成について説明する。
前記特定階１０は、上述したように、前記間仕切壁１によって吹抜け部２０ａを備えた第１スペース２０と、この第１スペース２０に隣接し、かつ中間床３０ａを境にして上層部３１と下層部３２とを備えた第２スペース３０とに区画されている。
【００２８】
本実施の形態の第１スペース２０は、図１および図２に示すように、ダイニング１１およびキッチン１２に隣接するリビングルームとして設けられ、上述したように吹抜け部２０ａを備えていることによって、開放的で広々とした部屋となっており、快適な居住環境を形成することができるようになっている。
【００２９】
一方、前記第２スペース３０は、図１および図２に示すように、また、上述したように中間床３０ａを境にして上層部３１と下層部３２とを備えている。
すなわち、前記第１スペース２０の天井部と、前記上層部３１の天井部とは略同じ高さに設けられており、前記中間床３０ａから前記天井部までの間が上層部３１となっている。また、前記下層部３２は、前記第１スペース２０の床面１０ｂと同じ高さの床面１０ｂを備えており、この床面１０ｂから前記中間床３０ａまでが下層部３２となっている。
【００３０】
なお、本実施の形態において前記上層部３１は畳が敷き込まれた和室となっており、この上層部３１へは、前記ダイニング１１に面して設けられた階段１３を上がった位置の踊り場１４から入ることができるようになっている。
【００３１】
また、なお、本実施の形態において前記下層部３２は収納室となっており、その天井高は、０．９〜１．４ｍの高さの範囲であれば適宜変更可能である。すなわち、この下層部３２の天井高を０．９〜１．４ｍに設定することによって、居住者が下層部３２に入って、何とか作業ができる最低限の高さを確保でき、また、このように天井高を必要最低限に抑えることで、建物Ａの高さが高くなることによって隣接する建物に及ぼす日照減少等の影響を極力少なくすることが可能となっている。
【００３２】
また、前記特定階１０は、前記第１スペース２０および第２スペース３０の他にも、玄関部１５や水回り室１６等の複数の部屋を備えており、これら第１スペース２０、第２スペース３０およびその他の複数の部屋は、同一床面１０ｂ上に設けられている。
なお、前記特定階１０の上方は建物Ａの最上階４０となっており、図示はしないが、この最上階４０の床面は、前記特定階１０の高低差のある天井部に合わせて高低差のある状態となっている。
【００３３】
次に、前記特定階１０の第１スペース２０および第２スペース３０について、さらに詳細に説明する。
【００３４】
前記第１スペース２０には、建物Ａの外部へ通じる開口部２２が前記間仕切壁１と対向する壁２１に設けられている。すなわち、図１に示すように、前記第１スペース２０には比較的大きな開口部２２が設けられており、外気を多く採り入れることができるようになっている。そして、この開口部２２には、開口部２２を開閉する窓２２ａが設けられた状態となっている
また、図２に示すように、前記壁２１には、第１スペース２０の天井部に近い高さ位置にも開口部２３が設けられている。
【００３５】
このように前記第１スペース２０に、建物Ａの外部へ通じる開口部２２、２３が前記間仕切壁１と対向する壁２１に設けられていることによって、前記開口部２２、２３から流入する外気を、前記通風壁部２を通じて前記上層部３１に流入させることができるので、通風性を向上させることが可能となっている。
また、前記開口部２２、２３から射し込む光を、前記透光壁部３を通じて前記上層部３１に採り入れることができるので、採光性を向上させることが可能となっている。
【００３６】
一方、前記上層部３１には、建物Ａの外部へ通じる開口部３４が前記間仕切壁１と対向する壁３３に設けられている。すなわち、図２に示すように、前記上層部３１には開口部３４が設けられており、外気を採り入れることができるようになっている。そして、この開口部３４には、開口部３４を開閉する窓３４ａが設けられた状態となっている。
【００３７】
このように前記上層部３１に、建物Ａの外部へ通じる開口部３４が前記間仕切壁１と対向する壁３３に設けられていることによって、前記開口部３４から流入する外気を、前記通風壁部２を通じて前記第１スペース２０に流入させることができるので、通風性を向上させることが可能となっている。
また、前記開口部３４から射し込む光を、前記透光壁部３を通じて前記第１スペース２０に採り入れることができるので、採光性を向上させることが可能となっている。
【００３８】
そして、図１および図２に示すように、前記第１スペース２０および上層部３１には、前記間仕切壁１と対向する壁２１、３３に、それぞれ開口部２２、２３、３４が設けられているので、これら第１スペース２０および上層部３１の開口部２２、２３、３４を開放した際は、前記特定階１０の通風性を格段に向上させることができるようになっている。
【００３９】
次いで、前記上層部３１には、図２に示すように、前記間仕切壁１に隣接配置される収納部３５と、この収納部３５から前記間仕切壁１に沿ってスライドして前記通風壁部２および透光壁部３を蔽遮する引戸３６とが設けられた状態となっている。
すなわち、図３において示した前記袖壁部６の近傍に前記収納部３５が設けられており、この収納部３５に前記引戸３６が収納可能となっている。つまり、前記引戸３６が前記収納部３５に収納されていた場合、前記第１スペース２０からは前記袖壁部６に隠れて見えない状態となっている。
【００４０】
なお、前記引戸３６は、前記上層部３１の天井面１０ａおよび中間床３０ａの床面３０ｂに設けられたレール（図示せず）に沿ってスライドするようになっており、このレールは、前記間仕切壁１に沿って設けられた状態となっている。
【００４１】
このように前記引戸３６を前記間仕切りに沿ってスライドして前記通風壁部２を蔽遮することによって、前記第１スペース２０と上層部３１との空気の流通を遮ることができるので、前記第１スペース２０および上層部３１に設けられる各部屋の暖かい空気を逃がさないようにすることができる。また、前記引戸３６を前記収納部３５に収納しておくことによって、前記第１スペース２０の空気と上層部３１の空気とを流通させることができるので、通風性を向上させることができる。これによって、通風量の調整を適宜行うことができるので、より快適な居住環境を形成することが可能となっている。
【００４２】
また、前記引戸３６を前記間仕切りに沿ってスライドして前記透光壁部３を蔽遮することによって、採光量の調整を適宜行うことができるので、より快適な居住環境を形成することが可能となっている。
さらに、前記引戸３６によって前記通風壁部２および透光壁部３を蔽遮することができるので、隣接する前記第１スペース２０および上層部３１どうしの視線を遮ってプライバシーを確保することが可能となっている。
【００４３】
一方、上述したように、前記第１スペース２０と前記下層部３２とを区画する前記間仕切壁１には、前記第１スペース２０と下層部３２とを行き来するための出入り口４が設けられている。また、前記下層部３２には、図１に示すように、建物Ａの外部へ通じる開口部３８が前記間仕切壁１に設けられた出入り口４と対向する壁３７に設けられた状態となっている。また、前記開口部３８には、この開口部３８を開閉する窓３８ａが設けられた状態となっている。
【００４４】
このように前記第１スペース２０と前記下層部３２とを区画する前記間仕切壁１に、前記第１スペース２０と下層部３２とを行き来するための出入り口４が設けられていることによって、この出入り口４を通じて前記第１スペース２０内の空気と前記下層部３２内の空気とを容易に流通させることができるようになっている。
また、前記下層部３２に、建物Ａの外部へ通じる開口部３８が前記出入り口４と対向する壁３７に設けられているので、前記開口部３８から流入する外気を、前記出入り口４を通じて前記第１スペース２０に流入させることが可能となり、換気効率の向上を図ることができるようになっている。
これによって、通風性を向上させることができ、より一層快適な居住環境を形成することが可能となる。
【００４５】
なお、前記下層部３２の出入り口４には、図１に示すように、この出入り口４を開閉するための引戸３９が設けられている。
すなわち、この引戸３９を開けて前記出入り口４を開放した状態とすることによって、前記下層部３２の開口部３８から流入する外気を前記第１スペース２０に流入させることができる。また、前記引戸３９を閉めて前記出入り口４を閉塞した状態とすることによって、前記第１スペース２０および下層部３２の気密性を向上させることができるようになっている。
【００４６】
そして、前記第１スペース２０の天井部には、図３に示すように、この天井部付近に溜まる暖かい空気を取り込む風洞部２４が設けられている。この風洞部２４は、図２に示すように、最上階４０の部屋４１を通過して設けられ、前記最上階４０の部屋４１から屋根の上方にまで突出する排気塔（図示せず）とともに建物Ａ内の排気経路を形成している。
このような排気経路が建物Ａ内に設けられていることによって、建物Ａ内の各部屋の天井部付近に溜まる暖かい空気を効果的に排気することができるので、より快適な居住空間を形成することが可能となっている。
【００４７】
なお、本実施の形態の建物Ａの間取りは以上のように構成されているが、これに限られるものではなく、本発明の趣旨を逸脱しない範囲で適宜変更可能であることは言うまでもない。
すなわち、例えば、本実施の形態において前記下層部３２を天井高の低い収納室、前記上層部３１を和室としたが、前記下層部３２を和室とし、前記上層部３１を天井高の低い収納しても良い。この際、前記上層部３１に進入するためには、前記踊り場１４の高さを前記上層部３１の床面３１ｂの高さに合わせれば良い。
【００４８】
本実施の形態によれば、建物Ａの特定階１０において第１スペース２０と第２スペース３０の上層部３１とを区画する間仕切壁１に、複数の孔またはスリットを備えて通風性を有する通風壁部２が設けられているので、前記第１スペース２０内の空気と前記上層部３１内の空気とを、前記通風壁部２の複数の孔またはスリットを通じて流通させ、換気効率の向上を図ることができる。
また、前記間仕切壁１に、透光性を有する面材３ａを有する透光壁部３が設けられているので、前記透光壁部３を通じて、前記第１スペース２０からの光を前記上層部３１に採り入れるだけでなく、前記上層部３１からの光も前記第１スペース２０に採り入れることができる。
したがって、通風性を向上させることができるとともに、採光性を向上させることができ、快適な居住環境を形成することが可能となる。
【図面の簡単な説明】
【００４９】
【図１】本発明に係る建物の間仕切り構造の一部を示す平面図である。
【図２】本発明に係る建物の間仕切り構造の一部を示す平面図である。
【図３】本発明に係る建物の間仕切り構造に用いる間仕切壁を示す正面図である。
【符号の説明】
【００５０】
Ａ  建物
１  間仕切壁
２  通風壁部
３  透光壁部
１０  特定階
２０  第１スペース
３０  第２スペース
３１  上層部
３２  下層部
【図１】
2007162391.tif 000003
【図２】
2007162391.tif 000004
【図３】
2007162391.tif 000005